【手続補正書】
【提出日】令和2年1月15日(2020.1.15)
【手続補正１】
【補正対象書類名】特許請求の範囲
【補正対象項目名】全文
【補正方法】変更
【補正の内容】
【特許請求の範囲】
【請求項１】
モバイル端末に適用されるクレジット決済方法であって： 
取引情報を取引端末へ送信するステップ（Ｓ１１０）と；
前記取引情報に基づき、前記取引端末により送信された現在の決済取引引き落とし情報を受信するステップ（Ｓ１２０）と；
前記モバイル端末の埋込セキュアエレメント（ｅＳＥ）を用いて、前記引き落とし情報と前記取引情報とに基づき決済認証ライセンスを生成するステップ（Ｓ１３０）と；
前記決済認証ライセンスを前記取引端末へ送信するステップであって、これにより、前記取引端末が、受信した前記決済認証ライセンスに基づき現在の決済取引を完了する、前記送信するステップ（Ｓ１４０）と；を備える、
クレジット決済方法。
【請求項２】
取引情報を取引端末へ送信する前記ステップの後に：
前記取引端末により送信されたアプリケーション公開鍵証明書読み取り命令を受信するステップ（Ｓ１５０）と；
前記アプリケーション公開鍵証明書読み取り命令に基づき、アプリケーション公開鍵証明書を前記取引端末へ送信するステップ（Ｓ１６０）と；を更に備える、
請求項１に記載のクレジット決済方法。
【請求項３】
前記モバイル端末の埋込セキュアエレメント（ｅＳＥ）を用いて、決済認証ライセンスを生成する前記ステップは；
前記ｅＳＥに格納されているアプリケーション秘密鍵を用いて、前記引き落とし情報に基づき、署名データを生成するステップ（Ｓ１３１）と；
事前に生成された、前記ｅＳＥ上のＴＡＣサブキーを用いて、前記引き落とし情報と前記取引情報とに基づき、取引認証コード（ＴＡＣ）を生成するステップ（Ｓ１３２）と；
前記署名データと前記ＴＡＣとを前記決済認証ライセンスとして用いるステップ（Ｓ１３３）と；を備える、
請求項１又は請求項２に記載のクレジット決済方法。
【請求項４】
前記取引情報は、決済カード番号と、利用可能限度額と、入場／退場フラグとを含む、
請求項１乃至請求項３のいずれか１項に記載のクレジット決済方法。
【請求項５】
前記引き落とし情報は、引き落とし金額と、現在の決済取引の日付及び時刻と、現在の決済取引の入場／退場フラグと、現在の決済取引の駅情報とを含む、
請求項１乃至請求項４のいずれか１項に記載のクレジット決済方法。
【請求項６】
現在の利用可能限度額を取得するために、前記現在の決済取引引き落とし情報中の前記引き落とし金額に基づき、前記取引情報中の前記利用可能限度額から前記引き落とし金額を差し引くステップ（Ｓ１７０）と；
前記現在の利用可能限度額を、前記モバイル端末におけるユーザに対応する利用可能限度額として用いるステップ（Ｓ１８０）と；を更に備える、
請求項５に記載のクレジット決済方法。
【請求項７】
取引端末に適用されるクレジット決済方法であって：
モバイル端末により送信された取引情報を受信するステップと；
前記取引情報に基づき、現在の決済取引引き落とし情報を生成するステップと；
前記モバイル端末に前記引き落とし情報を送信するステップと；
決済認証ライセンスを受信すると、前記決済認証ライセンスに基づき、前記現在の決済取引が完了した、と特定するステップと；を備える、
クレジット決済方法。
【請求項８】
モバイル端末により送信された取引情報を受信する前記ステップの後に：
アプリケーション公開鍵証明書読み取り命令を前記モバイル端末へ送信するステップと；
所定の前記モバイル端末により送信されたアプリケーション公開鍵証明書を受信するステップと；
前記取引端末にローカルに格納されているクレジット認証公開鍵を用いて検証される前記アプリケーション公開鍵証明書を検証するステップ（Ｓ６７０）と；
検証中に前記アプリケーション公開鍵証明書からアプリケーション鍵を復元するとき、現在の決済取引引き落とし情報を生成する前記ステップを実行するステップと；を更に備える、
請求項７に記載のクレジット決済方法。
【請求項９】
前記決済認証ライセンスは署名データと取引認証コード（ＴＡＣ）とを含み、
前記決済認証ライセンスに基づき、前記現在の決済取引が完了した、と特定する前記ステップは；
前記アプリケーション公開鍵を用いて前記署名データを検証するステップと；
前記署名データを検証する際に取引ログを生成するステップと；
前記取引ログを所定のサーバへ送信するステップであって、これにより、前記所定のサーバが、前記取引ログに基づき、前記モバイル端末に対応するユーザアカウントから対応する金額を差し引く、前記送信するステップと；を備え、
前記取引ログは、引き落とし金額と、取引日付と、取引時刻と、取引端末ＩＤと、決済カード番号と、利用可能限度額と、ＴＡＣとを含む、
請求項８に記載のクレジット決済方法。
【請求項１０】
前記方法はバス移動の決済に適用され、
前記取引情報は少なくとも利用可能限度額と入場／退場フラグとを含み、
前記方法は：
前記取引情報中の前記利用可能限度額が所定の閾値を超える又は等しいかどうかを特定するステップと；
前記利用可能限度額が前記所定の閾値を超える又は等しい場合、前記取引情報中の前記入場／退場フラグが退出状態にあるかどうかをチェックするステップと；
前記取引情報中の前記入場／退場フラグが退出状態にある場合、アプリケーション公開鍵証明書読み取り命令を前記モバイル端末へ送信する前記ステップを実行するステップと；を更に備える、
請求項８に記載のクレジット決済方法。
【請求項１１】
前記現在の決済取引がオフラインで完了する、
請求項１乃至請求項１０のいずれか１項に記載のクレジット決済方法。
【請求項１２】
クレジット決済方法であって：
モバイル端末の埋込セキュアエレメント（ｅＳＥ）を用いて、アプリケーション公開鍵とアプリケーション秘密鍵とを別々に生成するステップ（Ｓ７１０）と；
前記アプリケーション公開鍵を所定のサーバへ送信するステップであって、これにより、前記所定のサーバが、ローカルに格納されている認証秘密鍵を用いて、前記アプリケーション公開鍵に署名してアプリケーション公開鍵証明書を生成する、前記送信するステップ（Ｓ７２０）と；
前記所定のサーバにより送信された前記公開鍵証明書を取得し、前記アプリケーション公開鍵証明書と前記アプリケーション秘密鍵との両方を前記ｅＳＥに保存するステップ（Ｓ７３０）と；
クレジット決済データ取得要求を前記所定のサーバへ送信するステップ（Ｓ７４０）と；
前記所定のサーバにより送信されたクレジット決済データを受信し、前記ｅＳＥを用いて、前記クレジット決済データに基づき、前記モバイル端末のクレジット決済機能を有効化するステップ（Ｓ７５０）と；を備える、
クレジット決済方法。
【請求項１３】
前記モバイル端末のデバイスパラメータ情報を取得するステップ（Ｓ７０１）と；
前記デバイスパラメータ情報を前記所定のサーバへ送信するステップであって、これにより、前記所定のサーバが、クレジット決済有効化ハードウェア条件を、前記モバイル端末が満たしているかどうかを、前記受信したデバイスパラメータ情報に基づき特定する、前記送信するステップ（Ｓ７０２）と；
前記所定のサーバにより送信された、クレジット決済有効化情報が受信されたかどうかをチェックするステップ（Ｓ７０３）と；
前記所定のサーバにより送信された前記クレジット決済有効化情報が受信された場合、前記クレジット決済有効化ハードウェア条件を前記モバイル端末が満たしていることを特定し、アプリケーション公開鍵とアプリケーション秘密鍵とを別々に生成する前記ステップを実行するステップ（Ｓ７１０）と；を更に備える、
請求項１２に記載のクレジット決済方法。
【請求項１４】
ユーザＩＤ情報を取得するステップ（Ｓ７０５）と；
前記ユーザＩＤ情報を前記所定のサーバへ送信するステップであって、これにより、前記所定のサーバが、クレジット決済有効化セキュリティ認証条件を前記モバイル端末が満たしているかどうかを、前記受信したユーザＩＤ情報に基づき特定できる、前記送信するステップ（Ｓ７０６）と；
前記所定のサーバにより送信されたセキュリティ認証成功情報が受信されたかどうかをチェックするステップ（Ｓ７０７）と；
前記所定のサーバにより送信された前記セキュリティ認証成功情報が受信された場合、前記クレジット決済有効化セキュリティ認証条件を前記モバイル端末が満たしている、と特定し、アプリケーション公開鍵とアプリケーション秘密鍵とを別々に生成する前記ステップを実行するステップ（Ｓ７０８）と；を更に備える、
請求項１２又は請求項１３に記載のクレジット決済方法。
【請求項１５】
クレジット決済アプリケーションと登録スクリプトとを含む所定のインストールファイルを取得する要求を、前記所定のサーバへ送信するステップ（Ｓ７０９１）と；
前記所定のサーバにより送信された前記クレジット決済アプリケーションと前記登録スクリプトとを取得するステップ（Ｓ７０９２）と；
前記クレジット決済アプリケーションと前記登録スクリプトとを前記ｅＳＥへ別々にインストールし、アプリケーション公開鍵とアプリケーション秘密鍵とを別々に生成する前記ステップを実行するステップ（Ｓ７０９３）と；を更に備える、
請求項１２乃至請求項１４のいずれか１項に記載のクレジット決済方法。
【請求項１６】
請求項１乃至請求項１５のいずれか１項に記載の方法を実行するように構成された、複数のモジュールを備える、
クレジット決済装置。
【手続補正２】
【補正対象書類名】明細書
【補正対象項目名】０３３４
【補正方法】変更
【補正の内容】
【０３３４】
本開示は、上で説明され、添付の図面に示される正確な構造に限定されず、本開示の範囲から逸脱することなく修正および変更がなされ得ることが理解されるべきである。本開示の範囲は、添付の特許請求の範囲によってのみ限定される。
［第１の局面］
モバイル端末に適用される、モバイル端末ｅＳＥに基づくクレジット決済方法であって： 
取引情報を取引端末へ送信するステップと；
前記取引情報に基づき、前記取引端末により送信された現在の決済取引引き落とし情報を受信するステップと；
前記モバイル端末の埋込セキュアエレメント（ｅＳＥ）を用いて、前記引き落とし情報と前記取引情報とに基づき決済認証ライセンスを生成するステップと；
前記決済認証ライセンスを前記取引端末へ送信するステップであって、これにより、前記取引端末が、受信した前記決済認証ライセンスに基づき現在の決済取引を完了する、送信するステップと；を備える、
モバイル端末ｅＳＥに基づくクレジット決済方法。
［第２の局面］
取引情報を取引端末へ送信するステップの後に：
前記取引端末により送信されたアプリケーション公開鍵証明書読み取り命令を受信するステップと；
前記アプリケーション公開鍵証明書読み取り命令に基づき、アプリケーション公開鍵証明書を前記取引端末へ送信するステップと；を更に備える、
第１の局面に記載のクレジット決済方法。
［第３の局面］
前記モバイル端末の埋込セキュアエレメント（ｅＳＥ）を用いて、決済認証ライセンスを生成するステップは；
前記ｅＳＥに格納されているアプリケーション秘密鍵を用いて、前記引き落とし情報に基づき、署名データを生成するステップと；
事前に生成された、前記ｅＳＥ上のＴＡＣサブキーを用いて、前記引き落とし情報と前記取引情報とに基づき、取引認証コード（ＴＡＣ）を生成するステップと；
前記署名データと前記ＴＡＣとを前記決済認証ライセンスとして用いるステップと；を備える、
第１の局面に記載のクレジット決済方法。
［第４の局面］
前記決済方法はバス移動の決済に適用され；
前記取引情報は、決済カード番号と、利用可能限度額と、入場／退場フラグとを含む；
第１の局面に記載のクレジット決済方法。
［第５の局面］
前記引き落とし情報は、引き落とし金額と、現在の決済取引の日付及び時刻と、現在の決済取引の入場／退場フラグと、現在の決済取引の駅情報とを含む；
第１の局面乃至第４の局面のいずれかに記載のクレジット決済方法。
［第６の局面］
現在の利用可能限度額を取得するために、前記現在の決済取引引き落とし情報中の前記引き落とし金額に基づき、前記取引情報中の前記利用可能限度額から前記引き落とし金額を差し引くステップと；
前記現在の利用可能限度額を、前記モバイル端末におけるユーザに対応する利用可能限度額として用いるステップと；を更に備える、
第５の局面に記載のクレジット決済方法。
［第７の局面］
取引端末に適用される、モバイル端末ｅＳＥに基づくクレジット決済方法であって：
モバイル端末により送信された取引情報を受信するステップと；
前記取引情報に基づき、現在の決済取引引き落とし情報を生成するステップと；
前記モバイル端末に前記引き落とし情報を送信するステップと；
決済認証ライセンスを受信すると、前記決済認証ライセンスに基づき、前記現在の決済取引が完了した、と特定するステップと；を備える、
モバイル端末ｅＳＥに基づくクレジット決済方法。
［第８の局面］
モバイル端末により送信された取引情報を受信するステップの後に：
アプリケーション公開鍵証明書読み取り命令を前記モバイル端末へ送信するステップと；
前記所定のモバイル端末により送信されたアプリケーション公開鍵証明書を受信するステップと；
前記取引端末にローカルに格納されているクレジット認証公開鍵を用いて、前記アプリケーション公開鍵証明書を検証するステップと；
検証中に前記アプリケーション公開鍵証明書からアプリケーション鍵を復元するとき、前記現在の決済取引引き落とし情報を生成する前記ステップを実行するステップと；を更に備える、
第７の局面に記載のクレジット決済方法。
［第９の局面］
前記決済認証ライセンスは署名データと取引認証コード（ＴＡＣ）とを含み、
前記決済認証ライセンスに基づき、前記現在の決済取引が完了した、と特定するステップは；
前記アプリケーション公開鍵を用いて前記署名データを検証するステップと；
前記署名データを検証する際に取引ログを生成するステップと；
前記取引ログを所定のサーバへ送信するステップであって、これにより、前記所定のサーバが、前記取引ログに基づき、前記モバイル端末に対応するユーザアカウントから対応する金額を差し引く、送信するステップと；を備え、
前記取引ログは、引き落とし金額と、取引日付と、取引時刻と、取引端末ＩＤと、決済カード番号と、利用可能限度額と、ＴＡＣとを含む；
第８の局面に記載のクレジット決済方法。
［第１０の局面］
前記方法はバス移動の決済に適用され；
前記取引情報は少なくとも利用可能限度額と入場／退場フラグとを含み；
前記方法は：
前記取引情報中の前記利用可能限度額が所定の閾値を超える又は等しいかどうかを特定するステップと；
前記利用可能限度額が前記所定の閾値を超える又は等しい場合、前記取引情報中の前記入場／退場フラグが退出状態にあるかどうかをチェックするステップと；
前記取引情報中の前記入場／退場フラグが退出状態にある場合、アプリケーション公開鍵証明書読み取り命令を前記モバイル端末へ送信する前記ステップを実行するステップと；を更に備える、
第８の局面に記載のクレジット決済方法。
［第１１の局面］
モバイル端末に適用される、モバイル端末ｅＳＥに基づくクレジット決済方法であって：
前記モバイル端末の埋込セキュアエレメント（ｅＳＥ）を用いて、アプリケーション公開鍵とアプリケーション秘密鍵とを別々に生成するステップと；
前記アプリケーション公開鍵を所定のサーバへ送信するステップであって、これにより、前記所定のサーバが、ローカルに格納されている認証秘密鍵を用いて、前記アプリケーション公開鍵に署名してアプリケーション公開鍵証明書を生成する、送信するステップと；
前記所定のサーバにより送信された前記公開鍵証明書を取得し、前記アプリケーション公開鍵証明書と前記アプリケーション秘密鍵との両方を前記ｅＳＥに保存するステップと；
クレジット決済データ取得要求を前記所定のサーバへ送信するステップと；
前記所定のサーバにより送信されたクレジット決済データを受信し、前記ｅＳＥを用いて、前記クレジット決済データに基づき、前記モバイル端末のクレジット決済機能を有効化するステップと；を備える、
クレジット決済方法。
［第１２の局面］
前記モバイル端末のデバイスパラメータ情報を取得するステップと；
前記デバイスパラメータ情報を前記所定のサーバへ送信するステップであって、これにより、前記所定のサーバが、クレジット決済有効化ハードウェア条件を、前記モバイル端末が満たしているかどうかを、前記受信したデバイスパラメータ情報に基づき特定する、送信するステップと；
前記所定のサーバにより送信された、前記クレジット決済有効化情報が受信されたかどうかをチェックするステップと；
前記所定のサーバにより送信された前記クレジット決済有効化情報が受信された場合、前記クレジット決済有効化ハードウェア条件を前記モバイル端末が満たしていることを特定し、アプリケーション公開鍵とアプリケーション秘密鍵とを別々に生成する前記ステップを実行するステップと；を更に備える、
第１１の局面に記載のクレジット決済方法。
［第１３の局面］
ユーザＩＤ情報を取得するステップと；
前記ユーザＩＤ情報を前記所定のサーバへ送信するステップであって、これにより、前記所定のサーバが、クレジット決済有効化セキュリティ認証条件を前記モバイル端末が満たしているかどうかを、前記受信したユーザＩＤ情報に基づき特定できる、送信するステップと；
前記所定のサーバにより送信されたセキュリティ認証成功情報が受信されたかどうかをチェックするステップと；
前記所定のサーバにより送信された前記セキュリティ認証成功情報が受信された場合、前記クレジット決済有効化セキュリティ認証条件を前記モバイル端末が満たしている、と特定し、アプリケーション公開鍵とアプリケーション秘密鍵とを別々に生成する前記ステップを実行するステップと；を更に備える、
第１１の局面に記載のクレジット決済方法。
［第１４の局面］
クレジット決済アプリケーションと登録スクリプトとを含む所定のインストールファイルを取得する要求を、前記所定のサーバへ送信するステップと；
前記所定のサーバにより送信された前記クレジット決済アプリケーションと前記登録スクリプトとを取得するステップと；
前記クレジット決済アプリケーションと前記登録スクリプトとを前記ｅＳＥへ別々にインストールし、アプリケーション公開鍵とアプリケーション秘密鍵とを別々に生成する前記ステップを実行するステップと；を更に備える、
第１１の局面に記載のクレジット決済方法。
［第１５の局面］
サーバに適用される、モバイル端末ｅＳＥに基づくクレジット決済方法であって：
モバイル端末により送信されたアプリケーション公開鍵を受信するステップと；
アプリケーション公開鍵証明書を生成するために、前記サーバにローカルに格納されている認証秘密鍵を用いてアプリケーション公開鍵に署名するステップと；
前記アプリケーション公開鍵証明書を前記モバイル端末へ送信するステップであって、これにより、前記モバイル端末が、前記受信したアプリケーション公開鍵証明書をｅＳＥに保存する、送信するステップと；
前記モバイル端末により送信されたクレジット決済データ取得要求を受信するステップと；
前記クレジット決済データ取得要求に基づき、前記モバイル端末に対応するクレジット決済データを生成し、前記クレジット決済データを前記モバイル端末へ送信するステップであって、これにより、前記モバイル端末が、前記受信したクレジット決済データに基づき、前記モバイル端末のクレジット決済機能を有効化する、送信するステップと；を備える、
クレジット決済方法。
［第１６の局面］
前記モバイル端末により送信されたデバイスパラメータ情報を受信するステップと；
前記デバイスパラメータ情報に基づき、クレジット決済有効化ハードウェア条件を前記モバイル端末が満たしているかどうかを特定するステップと；
前記クレジット有効化ハードウェア条件を前記モバイル端末が満たしている場合、クレジット決済有効化情報を前記モバイル端末へ送信し、モバイル端末により送信されたアプリケーション公開鍵を受信する前記ステップを実行するステップと；を更に備える、
第１５の局面に記載のクレジット決済方法。
［第１７の局面］
前記モバイル端末により送信されたユーザＩＤ情報を受信するステップと；
前記ユーザＩＤ情報に基づき、クレジット決済有効化セキュリティ認証条件を前記モバイル端末が満たしているかどうかを特定するステップと；
前記クレジット決済有効化セキュリティ認証条件を前記モバイル端末が満たしている場合、セキュリティ認証成功情報を前記モバイル端末へ送信し、モバイル端末により送信されたアプリケーション公開鍵を受信する前記ステップを実行するステップと；を更に備える、
第１５の局面に記載のクレジット決済方法。
［第１８の局面］
前記モバイル端末により送信された、クレジット決済アプリケーションと登録スクリプトとを備える所定のインストールファイルを取得する要求を受信するステップと；
前記所定のインストールファイルを取得する前記要求に基づき、前記クレジット決済アプリケーションと前記登録スクリプトとを別々に前記モバイル端末へ送信し、モバイル端末により送信されたアプリケーション公開鍵を受信する前記ステップを実行するステップと；を更に備える、
第１５の局面に記載のクレジット決済方法。
［第１９の局面］
モバイル端末に適用される、モバイル端末ｅＳＥに基づくクレジット決済装置であって：
取引端末へ取引情報を送信するように構成された取引情報送信ユニットと；
前記取引情報に基づき、前記取引端末により送信された現在の決済取引引き落とし情報を受信するように構成された引き落とし情報受信ユニットと；
前記モバイル端末の埋込セキュアエレメント（ｅＳＥ）を用いて、前記引き落とし情報と前記取引情報とに基づき、決済認証ライセンスを生成するように構成された決済認証ライセンス生成ユニットと；
前記取引端末へ前記決済認証ライセンスを送信するように構成された決済認証ライセンス送信ユニットであって、これにより、前記取引端末が、受信した前記決済認証ライセンスに基づき前記現在の取引決済を完了する、決済認証ライセンス送信ユニットと；を備える、
クレジット決済装置。
［第２０の局面］
前記取引端末により送信されたアプリケーション公開鍵証明書読み取り命令を受信するように構成されたアプリケーション公開鍵証明書読み取り命令受信ユニットと；
前記アプリケーション公開鍵証明書読み取り命令に基づき、アプリケーション公開鍵証明書を前記取引端末へ送信するように構成されたアプリケーション公開鍵証明書送信ユニットと；を更に備える、
第１９の局面に記載のクレジット決済装置。
［第２１の局面］
前記決済認証ライセンス生成ユニットは；
前記ｅＳＥに格納されているアプリケーション秘密鍵を用いて、前記引き落とし情報に基づき、署名データを生成するように構成された署名データ生成モジュールと；
事前に生成された、前記ｅＳＥの取引認証コード（ＴＡＣ）サブキーを用いて、前記引き落とし情報と前記取引情報とに基づき、ＴＡＣを生成するように構成されたＴＡＣ生成モジュールと；
前記署名データと前記ＴＡＣとを決済認証ライセンスとして用いるように構成された決済認証ライセンス特定モジュールと；を備える、
第１９の局面に記載のクレジット決済装置。
［第２２の局面］
前記決済装置はバス移動の決済に適用され、
前記取引情報は、決済カード番号と、利用可能限度額と、入場／退場フラグとを含む；
第１９の局面に記載のクレジット決済装置。
［第２３の局面］
前記引き落とし情報は、引き落とし金額と、前記現在の決済取引の日付及び時刻と、前記現在の決済取引の入場／退場フラグと、決済取引の駅情報とを含む；
第１９の局面乃至第２２の局面のいずれかに記載のクレジット決済装置。
［第２４の局面］
現在の利用可能限度額を取得するために、前記現在の決済取引引き落とし情報中の前記引き落とし金額に基づき、前記取引情報中の前記利用可能限度額から引き落とし金額を差し引くように構成された現在利用可能限度額生成ユニットと；
前記利用可能限度額を、前記モバイル端末においてユーザに対応する利用可能限度額として用いるように構成された利用可能限度額特定ユニットと；を更に備える、
第２２の局面に記載のクレジット決済装置。
［第２５の局面］
取引端末に適用される、モバイル端末ｅＳＥに基づくクレジット決済装置であって：
モバイル端末により送信された取引情報を受信するように構成された取引情報受信ユニットと；
前記取引情報に基づき、現在の決済取引引き落とし情報を生成するように構成された引き落とし情報生成ユニットと；
前記引き落とし情報を前記モバイル端末へ送信するように構成された引き落とし情報送信ユニットと；
決済認証ライセンスが受信されると、前記決済認証ライセンスに基づき、前記現在の決済取引が完了した、と特定するように構成された決済取引完了特定ユニットと；を備える、
クレジット決済装置。
［第２６の局面］
アプリケーション公開鍵証明書読み取り命令を前記モバイル端末へ送信するように構成されたアプリケーション公開鍵証明書読み取り命令送信ユニットと；
所定の前記モバイル端末により送信されたアプリケーション公開鍵証明書を受信するように構成されたアプリケーション公開鍵証明書受信ユニットと；
前記取引端末にローカルに格納されているクレジット認証公開鍵を用いて、前記アプリケーション公開鍵証明書を検証するように構成されたアプリケーション公開鍵証明書検証ユニットと；を更に備える、
第２５の局面に記載のクレジット決済装置。
［第２７の局面］
前記決済認証ライセンスは署名データと取引認証コード（ＴＡＣ）とを含み、
前記決済取引完了特定ユニットは：
前記アプリケーション公開鍵を用いて前記署名データを検証するように構成された署名データ検証モジュールと；
前記署名データが検証される際に取引ログを生成するように構成された取引ログ生成モジュールと；
前記取引ログを所定のサーバへ送信するように構成された取引ログ送信モジュールであって、これにより、前記所定のサーバが、前記取引ログに基づき、前記モバイル端末に対応するユーザアカウントから、対応する金額を差し引く、取引ログ送信モジュールと；を備え、
前記取引ログは、引き落とし金額と、取引日付と、取引時刻と、取引端末ＩＤと、決済カード番号と、利用可能限度額と、ＴＡＣとを含む；
第２５の局面に記載のクレジット決済装置。
［第２８の局面］
前記装置はバス移動の決済に適用され；
前記取引情報は少なくとも利用可能限度額と入場／退場フラグとを含み；
前記装置は、閾値特定ユニットと入場／退場フラグ特定ユニットとを更に備え；
前記閾値特定ユニットは、前記取引情報中の前記利用可能限度額が所定の閾値を超える又は等しいかどうかを特定するように構成され；
前記入場／退場フラグ特定ユニットは、前記利用可能限度額が前記所定の閾値を超える又は等しい場合、前記取引情報中の前記入場／退場フラグが退出状態にあるかどうかをチェックするように構成され；
前記アプリケーション公開鍵証明書読み取り命令送信ユニットは、前記取引情報中の前記入場／退場フラグが退出状態にある場合、前記アプリケーション公開鍵証明書読み取り命令を前記モバイル端末へ送信するように更に構成された；
第２５の局面に記載のクレジット決済装置。
［第２９の局面］
モバイル端末に適用される、モバイル端末ｅＳＥに基づくクレジット決済装置であって：
前記モバイル端末の埋込セキュアエレメント（ｅＳＥ）を用いて、アプリケーション公開鍵とアプリケーション秘密鍵とを別々に生成するように構成された鍵生成ユニットと；
前記アプリケーション公開鍵を前記所定のサーバへ送信するように構成されたアプリケーション公開鍵送信ユニットであって、これにより、所定のサーバがローカルに格納されている認証秘密鍵を用いて前記アプリケーション公開鍵に署名してアプリケーション公開鍵証明書を生成する、アプリケーション公開鍵送信ユニットと；
前記所定のサーバにより送信された公開鍵証明書を取得し、前記アプリケーション公開鍵証明書と前記アプリケーション秘密鍵との両方を前記ｅＳＥへ保存するように構成された公開鍵証明書取得ユニットと；
クレジット決済データ取得要求を前記所定のサーバへ送信するように構成されたクレジット決済データ取得要求送信ユニットと；
前記所定のサーバにより送信されたクレジット決済データを受信し、前記クレジット決済データに基づき前記モバイル端末のクレジット決済機能を有効化するように構成されたクレジット決済データ設定ユニットと；を備える、
クレジット決済装置。
［第３０の局面］
前記モバイル端末のデバイスパラメータ情報を取得するように構成されたデバイスパラメータ情報取得ユニットと；
前記所定のサーバが、受信した前記パラメータ情報に基づき、クレジット決済有効化ハードウェア条件を前記モバイル端末が満たしているかどうかを特定するために、前記デバイスパラメータ情報を前記所定のサーバへ送信するように構成されたデバイスパラメータ情報送信ユニットと；
前記所定のサーバにより送信されたクレジット決済有効化情報が受信されたかどうかをチェックするように構成された、クレジット決済有効化情報チェックユニットと；
前記所定のサーバにより送信された前記クレジット決済有効化情報が受信されると、前記クレジット決済有効化ハードウェア条件を前記モバイル端末が満たしている、と特定するために用いられるクレジット決済ハードウェア有効化条件と；を更に備える、
第２９の局面に記載のクレジット決済装置。
［第３１の局面］
ユーザＩＤ情報を取得するように構成されたユーザＩＤ情報取得ユニットと；
前記ユーザＩＤ情報を前記所定のサーバへ送信するように構成されたユーザＩＤ情報送信ユニットであって、これにより、前記所定のサーバが、受信した前記ユーザＩＤ情報に基づき、前記クレジット決済有効化セキュリティ認証条件を前記モバイル端末が満たしているかどうかを特定する、ユーザＩＤ情報送信ユニットと；
前記所定のサーバにより送信されたセキュリティ認証成功情報が受信されたかどうかをチェックするように構成されたセキュリティ認証成功情報チェックユニットと；
前記特定のサーバにより送信された前記セキュリティ認証成功情報が受信されると、前記クレジット決済有効化セキュリティ認証条件を前記モバイル端末が満たしている、と特定するように構成されたハードウェア有効化条件の確認ユニットと；を更に備える、
第２９の局面に記載のクレジット決済装置。
［第３２の局面］
クレジット決済アプリケーションと登録スクリプトとを含む所定のインストールファイルを取得する要求を前記所定のサーバへ送信するように構成された、所定インストールファイル取得要求送信ユニット と；
前記所定のサーバにより送信された前記クレジット決済アプリケーションと登録スクリプトとを取得するように構成されたファイル取得ユニットと；
前記クレジット決済アプリケーションと前記登録スクリプトとを前記ｅＳＥへ別々にインストールするように構成されたファイルインストールユニットと；を更に備える、
第２９の局面に記載のクレジット決済装置。
［第３３の局面］
サーバに適用される、モバイル端末ｅＳＥに基づくクレジット決済装置であって：
モバイル端末により送信されたアプリケーション公開鍵を受信するように構成されたアプリケーション公開鍵受信ユニットと；
アプリケーション公開鍵証明書を生成するために、前記サーバにローカルに格納されている認証秘密鍵を用いて前記アプリケーション公開鍵に署名するように構成されたアプリケーション公開鍵証明書生成ユニットと；
前記アプリケーション公開鍵証明書を前記モバイル端末へ送信するように構成されたアプリケーション公開鍵証明書送信ユニットであって、これにより、前記モバイル端末が受信した前記アプリケーション公開鍵証明書をｅＳＥに保存する、アプリケーション公開鍵証明書送信ユニットと；
前記モバイル端末により送信されたクレジット決済データ取得要求を受信するように構成されたクレジット決済データ取得要求受信ユニットと；
前記クレジット決済データ取得要求に基づき、前記モバイル端末に対応するクレジット決済データを生成し、前記クレジット決済データを前記モバイル端末へ送信するように構成されたクレジット決済データ生成ユニットであって、これにより、前記モバイル端末が、受信した前記クレジット決済データに基づき、クレジット決済機能を有効化する、クレジット決済データ生成ユニットと；を備える、
クレジット決済装置。
［第３４の局面］
前記モバイル端末により送信されたデバイスパラメータ情報を受信するように構成されたデバイスパラメータ情報受信ユニットと；
前記デバイスパラメータ情報に基づき、クレジット決済有効化ハードウェア条件を前記モバイル端末が満たしているかどうかを特定するように構成されたクレジット決済有効化ハードウェア条件特定ユニットと；
前記クレジット決済有効化ハードウェア条件を前記モバイル端末が満たしている場合、クレジット決済有効化情報を前記モバイル端末へ送信するように構成されたクレジット決済有効化情報送信ユニットと；を更に備える、
第３３の局面に記載のクレジット決済装置。
［第３５の局面］
前記モバイル端末により送信されたユーザＩＤ情報を受信するように構成されたユーザＩＤ情報受信ユニットと；
前記ユーザＩＤ情報に基づき、前記クレジット決済有効化セキュリティ認証条件を前記モバイル端末が満たしているかどうかを特定するように構成されたセキュリティ認証条件特定ユニットと；
前記クレジット決済有効化セキュリティ認証条件を前記ユーザＩＤ情報が満たしている場合、セキュリティ認証成功情報を前記モバイル端末へ送信するように構成されたセキュリティ認証成功情報送信ユニットと；を更に備える、
第３３の局面に記載のクレジット決済装置。
［第３６の局面］
前記モバイル端末により送信された、クレジット決済アプリケーションと登録スクリプトとを含む所定のインストールファイルを取得する要求を受信するように構成された所定インストールファイル取得要求受信ユニットと；
前記所定のインストールファイルを取得する前記要求に基づき、前記クレジット決済アプリケーションと前記登録スクリプトとを別々に前記モバイル端末へ送信するように構成されたインストールファイル送信ユニットと；を更に備える、
第３３の局面に記載のクレジット決済装置。